(57)【要約】【課題】給紙タイミングを遅らせることにより、キャンセル時、不必要に転写紙が搬出させないこと。また、印刷キャンセル処理反応を早くし、ユーザーの操作性を向上させること。【解決手段】第１の像担持体、第２の像担持体及び第３の像担持体を有し、前記第１の像担持体から第２の像担持体へ転写し、さらに、第２の像担持体から第３の像担持体に転写した顕像を記録媒体の一方の面に転写するとともに、前記第１の像担持体から第２の像担持体へ転写した顕像を記録媒体の他方の面に転写することにより記録媒体の両面に顕像を転写可能な画像形成装置であって、印刷要求に対し、転写紙給紙タイミングより先行して、画像データを第１の像担持体に転写開始させること。【選択図】図４
2005031188.tif 000002
【特許請求の範囲】
【請求項１】
両面画像形成装置のコンピュータに、第１の像担持体で形成した原稿の画像を、前記第１の像担持体から第２の像担持体へ転写する手順、さらに、第２の像担持体から第３の像担持体に転写した顕像を記録媒体の一方の面に転写する手順、前記第１の像担持体から第２の像担持体へ転写した顕像を記録媒体の他方の面に転写して記録媒体の両面に顕像を転写する手順、第１の像担持体にて顕像する像形成する手順、前記第３の像担持体の位置を検出する手順、転写紙の給紙を行う手順、該給紙工程に先行して、画像データを第３の像担持体に転写する手順を実行させるためのプログラム。
【請求項２】
両面画像形成装置のコンピュータに、第１の像担持体で形成した原稿の画像を、前記第１の像担持体から第２の像担持体へ転写する手順、さらに、第２の像担持体から第３の像担持体に転写した顕像を記録媒体の一方の面に転写する手順、かつ前記第１の像担持体から第２の像担持体へ転写した顕像を記録媒体の他方の面に転写して記録媒体の両面に顕像を転写する手順、第１の像担持体にて顕像する像形成する手順、前記第３の像担持体の位置を検出する手順、第３の像担持体への作像させる手順、該作像した画像出力に対してのストップ・キャンセルの処理を禁止する手順を実行させるためのプログラム。
【請求項３】
両面画像形成装置のコンピュータに、第１の像担持体で形成した原稿の画像を、前記第１の像担持体から第２の像担持体へ転写する手順と、さらに、第２の像担持体から第３の像担持体に転写した顕像を記録媒体の一方の面に転写する手順、かつ前記第１の像担持体から第２の像担持体へ転写した顕像を記録媒体の他方の面に転写して記録媒体の両面に顕像を転写する手順、第１の像担持体にて顕像する像形成する手順、前記第３の像担持体の位置を検出する手順、紙残量を検知する手順、該検知後作像開始した画像出力に対する転写紙エンドを検知したときは各像担持体への転写処理が終了した後、紙なし中断表示を行う手順、紙補給を待つ中断モードに移行する手順を実行させるためのプログラム。
【請求項４】
両面画像形成装置のコンピュータに、第１の像担持体で形成した原稿の画像を、前記第１の像担持体から第２の像担持体へ転写する手順、さらに、第２の像担持体から第３の像担持体に転写した顕像を記録媒体の一方の面に転写する手順、かつ前記第１の像担持体から第２の像担持体へ転写した顕像を記録媒体の他方の面に転写して記録媒体の両面に顕像を転写する手順、前記第３の像担持体の位置を検出する手順、印刷要求に基き、画像データの第１像担持体に作像を開始する手順、該開始するタイミングより、転写紙を給紙するタイミングを先行させる手順を実行させるためのプログラム。
【請求項５】
請求項１乃至４記載のいずれか１項記載のプログラムを搭載した両面画像形成装置。
【発明の詳細な説明】
【０００１】
【発明の属する技術分野】
本発明は記録媒体の両面に同時に画像を形成可能な画像形成プログラム及びその装置に関する。
【０００２】
【従来の技術】
昨今の複写機、プリンター等の電子写真装置においては、記録媒体への両面転写画像がすでに一般的となっている。そして、両面画像形成における記録媒体への転写方法としては、記録媒体へ第一面を転写、定着した後に、両面反転装置等を用いて記録媒体の第二面へ転写、定着のプロセスが実施されている。
しかしながら、上記両面画像形成における記録媒体への転写方法による記録媒体への両面印字では両面反転装置等が必要不可欠となり、両面時のファーストプリントが遅くなるのは否めないことであった。
【０００３】
しかし、両面反転装置等を用いずに両面印字を行う発明においては作像装置を記録媒体の第一面用、及び第二面用に夫々有しており省スペースが必要とされる昨今において機械サイズが大きく、さらには作像装置を記録媒体の各面に必要としていることからコスト面で非常に不利であるという問題がある。また、両面時のファーストプリントが遅くならないために、両面反転装置等を用いずに両面印字を行う発明がなされている（特許文献１）。
【０００４】
【特許文献１】
特開２０００−３５２８８９
【０００５】
【発明が解決しようとする課題】
そこで、本発明の第１の目的は、給紙タイミングを遅らせることにより、印刷キャンセル時、不必要に転写紙を排出しない、また、キャンセル処理反応を早くし、ユーザーの操作性を向上することである。
第２の目的は、同時両面処理時、第３担持体へ転写処理を開始したら、その一連の処理を実行することにより、先行して作像したことによる使用トナーの無駄や、クリーニング部への付加が多くなる。そこで、これを解消する為、途中でキャンセル処理を受け付けずに、転写まで通常処理を行い、その次に続く印刷要求に対し、キャンセル処理を実行することにより、作像処理の無駄や、クリーニング部等への付加を軽減することである。
【０００６】
第３の目的は、同時両面印字機構において、中間転写ベルトへ先行して画像形成を行う場合、転写紙の用紙検知が転写開始後となり、転写紙がない場合、先行して作像したことによる使用トナーの無駄や、クリーニング部への付加が多くなる。
そこで、これを解消する為、用紙エンド検知時も、転写まで通常処理を行い、表示部にメッセージを出し、用紙補給状態で中断待機することにより、作像処理の無駄や、クリーニング部等への付加を軽減することである。
第４の目的は、作像タイミングに合わせ、先行させて紙給紙させることにより、印字タイミングを最速制御させ、生産性の向上を図かることである。
【０００７】
【課題を解決するための手段】
請求項１の発明は、両面画像形成装置のコンピュータに、第１の像担持体で形成した原稿の画像を、前記第１の像担持体から第２の像担持体へ転写する手順、さらに、第２の像担持体から第３の像担持体に転写した顕像を記録媒体の一方の面に転写する手順、前記第１の像担持体から第２の像担持体へ転写した顕像を記録媒体の他方の面に転写して記録媒体の両面に顕像を転写する手順、第１の像担持体にて顕像する像形成する手順、前記第３の像担持体の位置を検出する手順、転写紙の給紙を行う手順、該給紙工程に先行して、画像データを第３の像担持体に転写する手順を実行させるためのプログラムである。
【０００８】
請求項１の発明によれば、印刷要求に対し、転写紙給紙タイミングより先行して、画像データを第１像担持体に転写開始することにより、転写給紙タイミングが遅くれ、印刷キャンセル時に不必要に転写紙を排出しない。また、キャンセル処理反応を早くし、ユーザーの操作性を向上させる。
【０００９】
請求項２の発明は、両面画像形成装置のコンピュータに、第１の像担持体で形成した原稿の画像を、前記第１の像担持体から第２の像担持体へ転写する手順、さらに、第２の像担持体から第３の像担持体に転写した顕像を記録媒体の一方の面に転写する手順、かつ前記第１の像担持体から第２の像担持体へ転写した顕像を記録媒体の他方の面に転写して記録媒体の両面に顕像を転写する手順、第１の像担持体にて顕像する像形成する手順、前記第３の像担持体の位置を検出する手順、第３の像担持体への作像させる手順、該作像した画像出力に対してのストップ・キャンセルの処理を禁止する手順を実行させるためのプログラムである。
【００１０】
請求項２の発明によれば、第３の像担持体へ作像したら、その作像した画像出力に対してのストップ・キャンセルの処理を行わないことにより、途中でキャンセル処理を受付けずに、転写まで通常処理を行い、その次ぎに続く印刷要求に対し、キャンセル処理を実行し、作像処理の無駄や、クリーニング部等への付加を軽減する。
【００１１】
請求項３の発明は、第１の像担持体で形成した原稿の画像を、前記第１の像担持体から第２の像担持体へ転写する手順と、さらに、第２の像担持体から第３の像担持体に転写した顕像を記録媒体の一方の面に転写する手順、かつ前記第１の像担持体から第２の像担持体へ転写した顕像を記録媒体の他方の面に転写して記録媒体の両面に顕像を転写する手順、第１の像担持体にて顕像する像形成する手順、前記第３の像担持体の位置を検出する手順、紙残量を検知する手順、該検知後作像開始した画像出力に対する転写紙エンドを検知したときは各像担持体への転写処理が終了した後、紙なし中断表示を行う手順、紙補給を待つ中断モードに移行する手順を実行させるためのプログラムである。
【００１２】
請求項３の発明によれば、先行して作像開始した画像出力に対する転写紙エンドを検知した場合、像担持体への転写処理が終了した後、紙無し中断表示を行い、紙補給を待つ中断モードへ移行することにより、用紙エンド検知時も、転写まで通常処理を行い、表示部にメッセージを出し、用紙補給状態で中断待機し、作像処理の無駄や、クリーニング部等への付加を軽減する。
【００１３】
請求項４の発明は、両面画像形成装置のコンピュータに、第１の像担持体で形成した原稿の画像を、前記第１の像担持体から第２の像担持体へ転写する手順、さらに、第２の像担持体から第３の像担持体に転写した顕像を記録媒体の一方の面に転写する手順、かつ前記第１の像担持体から第２の像担持体へ転写した顕像を記録媒体の他方の面に転写して記録媒体の両面に顕像を転写する手順、前記第３の像担持体の位置を検出する手順、印刷要求に基き、画像データの第１像担持体に作像を開始する手順、該開始するタイミングより、転写紙を給紙するタイミングを先行させる手順を実行させるためのプログラムである。
【００１４】
請求項４の発明によれば、印刷要求に対し、画像データの第１像担持体に作像を開始するタイミングより、転写紙給紙タイミングを先行させることにより、作像タイミングに合わせ、先行させて転写紙給紙させ、印字タイミングを最速制御できる。
【００１５】
請求項５の発明は、請求項１乃至４記載のいずれか１項記載のプログラムを搭載した画像形成装置である。
【００１６】
請求項５の発明によれば、制御用コンピュータを備えた画像成形装置において操作性の良い画像形成動作を実行することができる。
【００１７】
【発明の実施の形態】
本発明の実施の形態を、添付図面を参照して説明する。
図１は本発明を含む記録媒体の両面にほぼ同時に画像が形成可能な画像形成装置の略中央断面図である。
図中、回転可能に支持され、矢印方向に回転する第１の像担持体（感光体）１の外周部には除電装置Ｌ、クリーニング装置２、帯電装置３、現像装置５が配備されている。
帯電装置３と現像装置５の間には、露光装置４から発せられる光情報の入るスペースが確保されている。
【００１８】
第１の像担持体（感光体）１は４個（ａ，ｂ，ｃ，ｄ）あるが、それぞれ周囲に設けられる画像形成用の部品構成は現像装置５が扱う色材（トナー）の色が異なることを除き同じである。
第１の像担持体１は直径が３０から１００ｍｍ程度のアルミニウム円筒表面に、光導電性物質である有機半導体の層を設けた感光体である。その一部が、第２の像担持体（中間転写ベルト）１０に接している。ベルト状の感光体も採用可能である。
【００１９】
第２の像担持体１０は矢印方向に移動可能に、回転するローラ１１、１２、１３間に支持、張架されていて、裏側（ループの内側）には、第１の転写手段２０が第１の像担持体１の近傍に配備されている。
ベルトループの外側に、第２の像担持体用クリーニング装置２５が配備されている。第２の像担持体１０より転写した後にその表面に残留する不要のトナーを拭い去る。
【００２０】
露光装置４は公知のレーザ方式で、フルカラー画像形成に対応した光情報を、一様に帯電された感光体表面に潜像として照射する。ＬＥＤアレイと結像手段から成る露光装置も採用可能である。
第２の像担持体（中間転写体）１０は、基体の厚みが５０μｍ乃至６００μｍの樹脂フィルムあるいはゴムを基体にしたベルトで、第１の像担持体からトナーを転写可能とする抵抗値を備える。
【００２１】
図１中の右方にはベルト状の第３の像担持体１００が配備されている。第３の像担持体１００は矢印方向に移動可能に、回転ローラ１１１、１１２、１１３間に支持、張架されていて、裏側（ループの内側）には、第２の転写手段１２０が配備されている。ベルトループの外側に、第３の像担持体用クリーニング装置２５０、チャージャＣＨ、などが配備されている。
クリーニング装置２５０は、用紙にトナーを転写した後、残留する不要のトナーを拭い去る。
前記転写手段１２０、ローラ１１３、第２の像担持体１０を支持するローラ１１により、第２の像担持体１０と第３の像担持体１００は接触し、あらかじめ定められた転写ニップを形成する。
【００２２】
第３の像担持体（中間転写体）１００は、基体の厚みが５０μｍ乃至６００μｍの樹脂フィルムあるいはゴムを基体にしたベルトで、第２の像担持体からトナーを転写可能とする抵抗値を備えるベルトである。
記録媒体（用紙）（Ｐ）は図１中の下方の給紙装置（給紙カセット）２６−１、２６−２に収納されており、最上の用紙が給紙ローラ２７で１枚づつ、複数のガイド２９を経てレジストローラ対２８に搬送される。
図１中の上方に、定着用加熱手段３０、排紙ガイド対３１、排紙ローラ対３２、排紙スタック部４０が配備されている。
【００２３】
第２の像担持体１０の上方で、排紙部４０の下方には、補給用のトナーが収納できる収納部ＴＳが設けてある。
トナーの色はマゼンタ、シアン、イエロー、ブラックの四色があり、カートリッジＴＣの形態にしてある。粉体ポンプ等により対応する色の現像装置に適宜補給される。
【００２４】
本体の一部の開閉フレーム５０は、開閉支軸５０Ａを中心として、回動・開放が可能な構造にしてあるので、記録媒体の搬送路は大きく開き、ジャムした記録媒体（用紙）の処理を容易にしている。
【００２５】
（動作の説明）
次ぎに、記録媒体（用紙）の両面に画像を得る場合の動作を説明する。
まず、第１の像担持体１（感光体）による、作像が行われる。露光装置４の作動により、不図示のＬＤ光源からの光は、不図示の光学部品を経て、帯電装置３で一様に帯電された第１の像担持体（感光体）１のうち、ａと記した感光体上に至り、書き込み情報（色に応じた情報）に対応した潜像を形成する。
第１の像担持体１上の潜像は現像装置５で現像され、トナーによる顕像が第１の像担持体１の表面に形成・保持される。このトナー像は、第１の転写手段２０により、第１の像担持体と同期して移動する第２の像担持体１０の表面に転写される。
【００２６】
第１の像担持体１の表面は、残存するトナーがクリーニング装置２でクリーニングされ、除電装置Ｌで除電され次の作像サイクルに備える。
第２の像担持体１０は、表面に転写されたトナー像を坦持し、矢印の方向に移動する。ｂと記された第１の像担持体（感光体）１に、別の色に対応する潜像が書き込まれ、対応する色のトナーで現像され顕像となる。この像は、すでに第２の像担持体に乗っている前の色の顕像に重ねられ、最終的に４色重ねられる。
このとき同期して第３の像担持体１００は矢印方向に移動していて、第２の転写手段１２０の作用で、第３の像担持体１００の表面に第２の像担持体表面に作られた画像が転写される。
いわゆるタンデム形式である４個の感光体上で画像が形成されながら、第２、第３の像担持体が移動し、作像が進められるので、その時間が短縮できる。
【００２７】
第２の像担持体１０が、所定のところまで移動すると、記録媒体（用紙）の別の面に作成されるべきトナー画像が、前述したような工程で再度第１の像担持体１により作像され、給紙が開始される。
給紙ローラ２７が反時計方向に回転すると、給紙装置（給紙カセット：２６−１、２６−２）内の最上部にある記録媒体（用紙）Ｐが引き出され、レジストローラ対２８に搬送される。
【００２８】
レジストローラ対２８を経て、第２の像担持体１０と第３の像担持体１００の間に送られる記録媒体（用紙）の片側の面に、第２の像担持体１０表面のトナー像が、第２の転写手段１２０により転写される。
更に、記録媒体は上方に搬送され、第３の像担持体１００表面のトナー像が、チャージャＣＨにより記録媒体のもう一方の面に転写される。
転写に際して、記録媒体（用紙）は画像の位置が正規のものとなるよう、タイミングがとられて搬送される。
【００２９】
本実施例では、第１の像坦持体１に作像されるトナーの極性はマイナスである。第１の転写手段２０にプラスの電荷を与えることで、第１の像坦持体に作像されたトナーは第２の像坦持体１０に転写される。
第２の転写手段１２０にプラスの電荷を与えることで、第２の像坦持体に作像されたトナーは第３の像坦持体１００に転写される。また、第２の像担持体表面のトナーも、記録媒体の片側の面に転写される。
チャージャＣＨからプラス極性の電荷を与えることで、第３の像担持体１００表面のマイナス極性のトナーは吸引されて、記録媒体の他の面に転写される。
上記のステップで両面にトナー像が転写された記録媒体Ｐは、定着手段３０に送られ、記録媒体（用紙）上のトナー像（両面）が一度に溶融、定着され、ガイド対３１を経て排紙ローラ対３２により本体フレーム上部の排紙スタック部４０に排出される。
【００３０】
図１に示すように、排紙部４０を構成した場合、両面画像のうち後から記録媒体（用紙）に転写される面（頁）、すなわち、第２の像担持体１０から記録媒体（用紙）に直接転写される面が下面となって、排紙スタック部４０に載置されるから、頁揃えをしておくには２頁目の画像を先に作成し、第３の像担持体１００にそのトナー像を保持し、１頁目の画像を第２の像担持体１０から記録媒体（用紙）に直接転写するようにすればよい。
【００３１】
第２の像担持体１０から記録媒体に転写される画像は、第１の像担持体表面で正像にし、第３の像担持体１００から記録媒体に転写されるトナー像は、第１の像担持体（感光体）表面で逆像（鏡像）になるよう露光される。
このような頁揃えのための作像順は画像データをメモリーに貯蔵する公知の技術で、また、正、逆像（鏡像）に切り換える露光も、公知の画像処理技術により、既に実現されている。
【００３２】
第３の像担持体１００から記録媒体（用紙）に転写した後、内部に公知のブラシローラ、回収ローラ、ブレード等を備えたクリーニング装置２５０は、第３の像担持体表面に残留する不要のトナーや紙粉を除去する。
図１中ではブラシローラ２５０が第３の像担持体表面から離れた状態にある。
ブラシローラ２５０は支点２５０Ａを中心として揺動可能で、第３の像担持体表面に接離可能な構造になっており、かつ記録媒体に転写する以前で、第３の像担持体がトナー像を担持しているとき離し、クリーニングが必要のとき、図１中で反時計方向に揺動し接触させる。
除去された不要トナーはトナー収納部２５０Ｂに集められる。
【００３３】
また、第一の像担持体（感光体）の形成方式として、各トナー色毎に並行して同時に潜像形成可能な構成（図１）と、各トナー色毎に面順次で作像する構成（図示せず）がある。
【００３４】
図２及び３には、各トナー色毎に並行して同時に潜像形成可能な像担持体の構成の説明図であり、図２にはベルト（第２の像担持体）１０上に１ページ分単位で画像形成する場合が、図３には複数ページ（２ページ）分で画像形成する場合が示されている。
この１ページ分単位であれば（図２）、表裏１セット、２ページ分処理の場合は（図３）、表裏表裏２セットで１つのジョブ単位として処理することにし、その間ストップ、キャンセル処理を行わないことにより、上記のような一連の作像処理の途中で潜像処理をやめることがないようにし、無駄にトナー等を消費することがない画像形成装置となる。
【００３５】
図４は両面原稿の読み取りから、ゲート信号、２次転写、紙転写までの処理の流れのイメージ図である。
図４で示すように、読み取りで、原稿１表面（１）を読み込み、次に原稿１裏面（２）、次に原稿２表面（３）を読み込む。読み取り処理速度が印字処理速度以下の場合、この表面（３）の読み込みタイミングで、表面（１）、（３）のゲート信号を出し、第２担持体のベルトに顕像を形成し、続いて裏面（２）、（４）の顕像を形成していく。先に顕像した表面（１）、（３）は、第３像担持体上に転写され、第２像担持体上の裏面（２）の先端と第３像担持体の表面（１）の先端の位置合わせのタイミングで記録媒体（紙）を通紙させることにより、同時両面印字が可能となる。（図５参照。）
【００３６】
ここで、通常片面印字では、第２像担持体へ転写し、次に紙へ転写すればよいが、同時両面印字を使用とした場合は、さらに、第３像担持体に作像してから、給紙を開始する。この途中で、エラーやキャンセルが発生した場合、装置内に白紙残紙とならず、転写紙を無駄にすることがない画像形成装置を提供できる。
【００３７】
また、給紙タイミングで紙なしとなった場合、先行させている作像処理を停止せず、完了させると同時に、操作部に紙なし表示をし、紙補給を促すとともに、処理を中断モードへ移行し各像担持体へ顕像を形成した画像データを、紙補給、または、ジョブキャンセルまで保持することにより、トナーを無駄にせず、クリーニング部への負荷を低減する。
【００３８】
上述したような作像先行処理の場合、図１に示すような給紙口と紙転写部までの距離が近ければ理想的だが、最下段バンクからの給紙や、印字処理の高速なものになると同時両面での紙転写タイミング制御が難しくなる。
それに加え複数の像担持体への潜像形成により、使用するトナー及びキャンセル時のクリーニング部への付加を軽減する為、潜像形成してから転写紙エンド等のないよう、常に給紙先行で転写紙搬送を行い、同時転写位置の規定前位置で、転写タイミングを調整することにより記録媒体の状態を確認してから作像開始することにより、作像部への負荷を軽減する。
【００３９】
（本発明の実施の形態）
第１の実施の形態は、第１の像担持体、第２の像担持体及び第３の像担持体を有し、前記第１の像担持体から第２の像担持体へ転写し、さらに第２の像担持体から第３の像担持体に転写した顕像を記録媒体の一方の面に転写するとともに、前記第１の像担持体から第２の像担持体へ転写した顕像を記録媒体の他方の面に転写することにより記録媒体の両面に顕像を転写可能な画像形成装置と、読み取った原稿をＲＧＢ画像データに展開可能で、且つＲＧＢ画像データをＫＣＭＹ画像データに色変換可能なカラー原稿読取装置と、ＫＣＭＹ画像データを前記複数の第１の像担持体にて顕像する像形成手段と、前記第３の像担持体位置検出する位置検出手段を有する画像形成装置において、印刷要求に対し、転写紙給紙タイミングより先行して、画像データを第１の像担持体に転写開始する画像形成装置である。
【００４０】
第２の実施の形態は、第１の像担持体、第２の像担持体及び第３の像担持体を有し、前記第１の像担持体から第２の像担持体へ転写し、さらに第２の像担持体から第３の像担持体に転写した顕像を記録媒体の一方の面に転写するとともに、前記第１の像担持体から第２の像担持体へ転写した顕像を記録媒体の他方の面に転写することにより記録媒体の両面に顕像を転写可能な画像形成装置と、読み取った原稿をＲＧＢ画像データに展開可能で、且つＲＧＢ画像データをＫＣＭＹ画像データに色変換可能なカラー原稿読取装置と、ＫＣＭＹ画像データを前記複数の第１の像担持体にて顕像する像形成手段と、前記第３の像担持体位置検出する位置検出手段を有する画像形成装置において、第３の像担持体へ作像したら、その作像した画像出力に対してのストップ・キャンセルの処理を行わない画像形成装置である。
【００４１】
第３の実施の形態は、第１の像担持体、第２の像担持体及び第３の像担持体を有し、前記第１の像担持体から第２の像担持体へ転写し、さらに第２の像担持体から第３の像担持体に転写した顕像を記録媒体の一方の面に転写するとともに、前記第１の像担持体から第２の像担持体へ転写した顕像を記録媒体の他方の面に転写することにより記録媒体の両面に顕像を転写可能な画像形成装置と、読み取った原稿をＲＧＢ画像データに展開可能で、且つＲＧＢ画像データをＫＣＭＹ画像データに色変換可能なカラー原稿読取装置と、ＫＣＭＹ画像データを前記複数の第１の像担持体にて顕像する像形成手段と、前記第３の像担持体位置検出する位置検出手段を有する画像形成装置において、紙残量検知手段を有し、先行して作像開始した画像出力に対する転写紙エンドを検知した場合、像担持体への転写処理が終了した後、紙なし中断表示を行い、紙補給を待つ中断モードへ移行する画像形成装置である。
【００４２】
第４の実施の形態は、第１の像担持体、第２の像担持体及び第３の像担持体を有し、前記第１の像担持体から第２の像担持体へ転写し、さらに第２の像担持体から第３の像担持体に転写した顕像を記録媒体の一方の面に転写するとともに、前記第１の像担持体から第２の像担持体へ転写した顕像を記録媒体の他方の面に転写することにより記録媒体の両面に顕像を転写可能な画像形成装置と、読み取った原稿をＲＧＢ画像データに展開可能で、且つＲＧＢ画像データをＫＣＭＹ画像データに色変換可能なカラー原稿読取装置と、ＫＣＭＹ画像データを前記複数の第１の像担持体にて顕像する像形成手段と、前記第３の像担持体位置検出する位置検出手段を有する画像形成装置において、印刷要求に対し、画像データの第１像担持体に作像を開始するタイミングより、転写紙給紙タイミングを先行させる事を特徴とする画像形成装置である。
以上の実施の形態では、複数色のトナーを使った、カラー画像の作像に関して述べたが、モノクロ画像の作成にも本発明が適用できることは勿論である。
【００４３】
【発明の効果】
請求項１に対応する効果：給紙タイミングを遅らせることにより、印刷キャンセル時、不必要に転写紙が搬出しない。また、キャンセル処理反応を早くし、ユーザーの操作性を向上する。
請求項２に対応する効果：キャンセル処理タイミングを制御することにより、処理途中の作像処理を無駄にしない為にトナーを無駄にせず、クリーニング付加の低減が可能である。
請求項３に対応する効果：ペーパーエンド時、途中の作像を中止せずに行い、紙補給後までデータを保持することにより、トナーを無駄にしない。また、クリーニング付加の低減が可能である。
請求項４に対応する効果：作像タイミングに合わせ、先行させ紙給紙させることにより、印字タイミングを最速制御することにより、生産性が向上する。
請求項５に対応する効果：制御用コンピュータを備えた画像形成装置において操作性の良い画像形成動作を実行することができる。
【図面の簡単な説明】
【図１】本発明の実施の形態を示す画像形成装置の略中央断面図である。
【図２】各トナー色毎に並行して同時に潜像形成可能な像担持体の説明図（１ページ分単位で画像形成する場合）である。
【図３】各トナー色毎に並行して同時に潜像形成可能な像担持体の説明図（複数分で画像形成する場合）である。
【図４】両面原稿の読取りから紙転写までの処理の流れのイメージ図である。
【図５】先端位置合わせの説明図である。
【符号の説明】
Ａ…排紙方向、Ｌ…除電ランプ、Ｐ…記録媒体（用紙）、ＣＨ…チャージャ、ＴＳ…トナー収納部、ＴＣ…トナー（カートリッジ）、
１…第１の像担持体（感光体）、２…  第１の像担持体（感光体）用クリーニング装置、３…帯電装置、４…露光装置、５…現像装置、１０…第２の像担持体（中間転写ベルト）、１１、１２、１３…ローラ（第２の像担持体の支軸）、２０…第１の転写手段、２５…クリーニング装置（第２の像担持体用）、２６−１、２６−２…給紙装置（給紙カセット）、２７…給紙ローラ、２８…レジストローラ対、２９…搬送ガイド、３０…加熱装置、３１…ガイド対、３２…排紙ローラ対、４０…排紙スタック部、５０…開閉フレーム、５０Ａ…開閉支軸、１００…第３の像担持体（中間転写ベルト）、１１１、１１２、１１３…ローラ（第３の像担持体の支軸）、１２０…第２の転写手段、２５０…クリーニング装置（第３の像担持体用）、２５０Ａ…クリーニング揺動支点、２５０Ｂ…トナー収納部。
【図１】
2005031188.tif 000003
【図２】
2005031188.tif 000004
【図３】
2005031188.tif 000005
【図４】
2005031188.tif 000006
【図５】
2005031188.tif 000007